(57)【要約】      （修正有）【課題】把持が便座から離脱しない把持付き便座を提供する。【解決手段】洋式腰掛便器１０の便座１において、洋式腰掛便器１０の便座外周側面の前側部分の左側面に突設された把持１１を備え、把持１１は、便座１の中心から放射状に延びる棒状部材であり、便座１と同じ材質で、便座１と一体成型される。便座外周側面の前側部分の左側面とは、便座１に着座した人の左手側である。通常、洗浄機能付きトイレの場合、便座１の右側に洗浄操作パネル４が設けられる。そのため、把持１１は、便座外周側面の前側部分の左側面に突設させる。また、男性の小便の場合、便座１に対向して起立するので、便座外周側面の前側部分の左側面に把持１１を突設させることで、男性は右手（一般に利き腕となる側）を使って把持１１を持ち、便座１を持ち上げることができる。【選択図】図２
0003190674.tif 000002
【実用新案登録請求の範囲】
【請求項１】
便座と便蓋を備える洋式腰掛便器において、
便座の外周側面の前側部分の左側面に突設された把持を備え、
該把持は、便座の中心から放射状に延びる棒状部材であり、便座と同じ材質で、便座と一体成型され、
便蓋が閉まり便座に覆い被さる場合は、便蓋の縁部であって前記把持と重なる部分に切欠きが設けられたことを特徴とする把持付き便座。
【請求項２】
前記把持の棒状部材は、長さが１５〜５０ｍｍで、幅が８〜１５ｍｍであることを特徴とする請求項１の把持付き便座。
【考案の詳細な説明】
【技術分野】
【０００１】
本考案は、洋式腰掛便器の便座であって、後端部を回動自在に枢支された便座に関するものである。
【背景技術】
【０００２】
従来から、洋式腰掛便器の便座は、後端部を回動自在に枢支されるもので、男子の小便の際などには便座を開いて使用する。通常、洋式腰掛便器は、男女共用、大小便共用であるため、男性の小便時、便座の腰掛面に小便の飛沫が付着するのを防ぐために、男性は便座を持ち上げ後ろに倒して小便を行う。
便座の裏面（下底面）には、小便時の飛び散りや、大便時の飛び散りが付着することが多く、非常に不衛生であり汚れている。このような不衛生な便座の下底面を、男性は手で触って便座を持ち上げることになる。
このようなことから、便座を持ち上げる手掛かりとして、便座から張り出した形で便座に取付ける便座開閉用の把持が提案されている（例えば、特許文献１〜３を参照。）。
【０００３】
特許文献１〜３に開示された把持は、いずれも便座の下底面に貼着できる構造となっている。把持の構造を便座に貼着できる構造にし、把持を便座から脱着可能にするのは、不潔な把持と清潔な把持の取替えるためである。
しかしながら、特許文献１〜３に開示された把持の場合、継続して使用している内に、把持の貼着力が弱まり、把持が便座から離脱しやすくなるという問題がある。
【先行技術文献】
【特許文献】
【０００４】
【特許文献１】特開２０００−１７５８４５号公報
【特許文献２】実全平０１−１３９７９７号公報
【特許文献３】実用新案登録第３１２４９７１号公報
【考案の概要】
【考案が解決しようとする課題】
【０００５】
上記状況に鑑みて、本考案は、把持が便座から離脱しない把持付き便座を提供することを目的とする。
【課題を解決するための手段】
【０００６】
上記目的を達成すべく、本考案の把持付き便座は、便座と便蓋を備える洋式腰掛便器において、便座の外周側面の前側部分の左側面に突設された把持を備え、該把持は、便座の中心から放射状に延びる棒状部材であり、便座と同じ材質で、便座と一体成型される。また、便蓋が閉まり便座に覆い被さる場合は、便蓋の縁部であって把持と重なる部分に切欠きが設けられる。
【０００７】
便座外周側面の前側部分の左側面とは、便座に着座した人の左手側である。通常、洗浄機能付きトイレの場合、便座の右側に洗浄操作パネルが設けられる。そのため、把持は、便座外周側面の前側部分の左側面に突設させる。また、男性の小便の場合、便座に対向して起立するので、便座外周側面の前側部分の左側面に把持を突設させることで、男性は右手（一般に利き腕となる側）を使って把持を持ち、便座を持ち上げることが可能である。
【０００８】
把持が便座の中心から放射状に延びる棒状部材としたのは、便座の左右方向あるいは前後方向よりも、便座の中心から放射状に延びる方向の方が、持ちやすくなるからである。ここで、便座自体の形状は略楕円形のドーナツ状であるが、把持が便座の中心から放射状に延び、かつ便座の右側に設けられることで、利用者が便座に着座した際に、把持が利用者の足に引っ掛からない。
【０００９】
また、棒状部材とは、円柱状、多角柱状、又は平板状の形状を呈し、側面がテーバ状であってもよい。
また、便蓋が閉まり便座に覆い被さる場合、便蓋の縁部であって把持と重なる部分に切欠きが設けられることにより、便蓋が完全に閉まることができる。ここで、切欠きの形状は、棒状部材が円形状の場合は下側が開放されたＵ字状、棒状部材が角柱状の場合は下側が開放されたコ字状など、棒状部材の形状に合わせて任意に設計できる。
【００１０】
また、把持は、便座と同じ材質で、便座と一体成型されることで、便座と共に掃除でき、把持を清潔な状態に維持しやすくなる。便座が陶器から成る場合、把持も同じ陶器から成る。便座が硬質性樹脂から成る場合、把持も同じ硬質性樹脂から成る。把持と便座の境界部分は、湾曲して滑らかに繋がるようにするのが好ましい。便座の掃除の際の利便性、便座に着座する人の安全性を考慮して角がある箇所を無くすようにする。
【００１１】
ここで、把持の棒状部材は、長さが１５〜５０ｍｍで、幅が８〜１５ｍｍであることが好ましい。より好ましくは、長さが２０〜３０ｍｍで、幅が１０〜１２ｍｍである。
長さが１５〜５０ｍｍ、幅が８〜１５ｍｍとしたのは、把持の持ちやすさと便座に着座した人の足に邪魔にならないためである。長さが２０〜３０ｍｍで、幅が１０〜１２ｍｍは、大人の手の親指の大きさ程度であるが、この程度の大きさであれば、便座に着座する人にとって特に違和感を生じさせない。
【考案の効果】
【００１２】
本考案の把持付き便座によれば、把持を手で触って便座を持って上げ下げでき、また、把持が便座と一体成型されていることから、把持が便座から離脱することなく、さらに、把持が便座と同じ材質であり掃除も便座の一部として同様に掃除でき、把持を清潔な状態に維持しやすくなるといった効果を有する。
【図面の簡単な説明】
【００１３】
【図１】洋式腰掛便器の便座の外観図
【図２】実施例１の把持付き便座の構成説明図（１）
【図３】把持の構造説明図
【図４】実施例１の把持付き便座の構成説明図（２）
【考案を実施するための最良の形態】
【００１４】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１５】
図１は、洋式腰掛便器１０の便座の外観図を示している。１は便座、２は便器本体、３は便蓋、４は操作パネルである。便座１および便蓋３は、手で触って上げ下げすることができる。
図２は、実施例１の把持付き便座を示している。図中の１１が把持である。把持１１は、図２に示すように、便座１の外周側面の前側部分の左側面に突設されている。把持１１は、棒状部材であり、便座１の中心辺りから放射状に延びている。把持１１は、便座１と同じ材質のプラスチックであり、便座１と一体成型されている。
【００１６】
図３は、把持１１が突設されている便座１の部分拡大図である。図中において、Ｗは幅を示しており、Ｌは長さを示している。Ｗは１０ｍｍであり、Ｌは２０ｍｍである。
また、図示しないが、便蓋３の縁部であって、便蓋３が閉まり便座１に覆い被さる際に、把持１１と重なる部分に切欠きが設けられている。
【００１７】
図４は、便座１を持ち上げて、便器本体２の後方に便座１を倒した様子を示している。把持１１は、便座１の外周側面の前側部分の左側面に突設されているのがわかる。   
【産業上の利用可能性】
【００１８】
本考案は、洋式腰掛便器の便座に有用である。
【符号の説明】
【００１９】
１  便座
２  便器本体
３  便蓋
４  操作パネル
５  鞍
１０  洋式腰掛便器
１１  把持
【図１】
0003190674.tif 000003
【図２】
0003190674.tif 000004
【図３】
0003190674.tif 000005
【図４】
0003190674.tif 000006